(57)【特許請求の範囲】
【請求項１】
それぞれ対向面部に波形紙を配してその波形紙に弱接着力の粘着剤が塗布されて互いが再接着再剥離可能に貼り合わされる一対の保護板の間に、コンパクトディスクなどの電子記録媒体を収めてなる薄形の収容体を配置し、貼り合わされた前記一対の保護板が前記収容体を挟持することを特徴とする電子記録媒体の保護体。
【請求項２】
上記一対の保護板は折り部を介して連続している請求項１の電子記録媒体の保護体。
【請求項３】
請求項１の保護体が折丁や枚葉などからなる頁部と一体に綴じ合わされていることを特徴とする書籍。
【発明の詳細な説明】
【０００１】
【産業上の利用分野】
本発明は情報が記録されたフレキシブルディスク（以降ＦＤと略す）やコンパクトディスク（以降ＣＤと略す）などの電子記録媒体の保護体、そしてそれを収めた書籍に関するものである。
【０００２】
【従来の技術】
昨今においては、ＦＤやＣＤなどの板状記録媒体物を収めた書籍にあっては、例えば実開平４−３５５９０号公報などにおいて示されているように、段ボールなどの板紙を台紙として開口を開け、そこに電子記録媒体、或いはその電子記録媒体を袋（エンベロープ）に収めてなる収容体を配置して、その台紙を書籍の折丁や枚葉からなる頁部と一体的に綴じ合わせるようにして製本されていた。
【０００３】
【発明が解決しようとする課題】
しかしながら、ＦＤやＣＤ−ＲＯＭなどを書籍に備え付ける上記の形式では、電子記録媒体やその収容体を台紙に粘着テープを用いて固定していることが多く、このため台紙に対する取付固定作業が非常に煩雑なものとなっている。また、電子記録媒体などを開口部分から引き剥ぐ際に台紙が破損して再利用できなくなったり、収容体の袋や電子記録媒体自体も破損する可能性があった。
そこで本発明は上記事情に鑑み、電子記録媒体やその収容体を台紙などに対して簡単に取り付け、取り外しが行えるようにすることを課題とし、取り扱い容易な保持体を得ることを目的とするものである。
【０００４】
【課題を解決するための手段】
本発明は上記した課題を考慮してなされたもので、それぞれ対向面部に波形紙を配してその波形紙に弱接着力の粘着剤が塗布されて互いが再接着再剥離可能に貼り合わされる一対の保護板の間に、コンパクトディスクなどの電子記録媒体を収めてなる薄形の収容体を配置し、貼り合わされた前記一対の保護板が前記収容体を挟持することを特徴とする電子記録媒体の保護体を提供して、上記課題を解消するとともに、その保護体が折丁や枚葉などからなる頁部と一体に綴じ合わされていることを特徴とする書籍を提供して、上記課題を解消するものである。
【０００５】
【作用】
本発明においては、再剥離再接着可能な一対の保護板の間に電子記録媒体を収めた収容体が挟持状態にて保持され、そして貼り合わされている保護板を開くことにより前記収容体が取り外せるようになる。
【０００６】
【実施例】
つぎに本発明を図１から図５に示す実施例に基づいて詳細に説明する。
図中１は電子記録媒体の保護体で、該保護体１は図１に示すように、ＦＤやＣＤ−ＲＯＭなどの電子記録媒体２を収めてなる薄形の収容体３を貼り合わされた一対の保護板４の間に配置してなるものである。貼り合わされた一対の保護板４それぞれは折り部５を介して連続しており、即ち、一枚の保護板を折り合わせているものである。そしてその保護板４それぞれは、対向面部４ａに波形紙６を配し、その波形紙６に弱接着力の粘着剤７が塗布されており、この粘着剤７によって互いが再接着再剥離可能に貼り合わされる。なお、前記粘着剤７を対向面部４ａの波形紙６に塗布してもそれ自体では強い粘着力を呈することはなく、波形紙６の表面がベタ付いたり他の紙などを強力に固定することはない。即ち、前記粘着剤７は単独では強い粘着力を発揮することのないように調整されたものであって、この粘着剤７を塗布した波形紙６それぞれを接合することによって初めてその両者が再剥離再接着可能に貼り合わせられる。
【０００７】
前記収容体３は図示した例にあっては、一面を透明フィルム３ａとし他面を不織布３ｂとした封筒状の袋物に電子記録媒体２（ＣＤ−ＲＯＭ）を収容した例であり、前記透明フィルム３ａを通して内部の電子記録媒体２が見えるものである。そして前記電子記録媒体２の形状に対応して前記保護板４の一方には円弧状の開口部８が開けられており、その開口部８に電子記録媒体２が対応するように前記収容体３を配置して、透明フィルム３ａに覆われた状態で電子記録媒体２が開口部８から見えるようにしている。
【０００８】前記一対の保護板４の貼り合わせで収容体３の四方周辺が挟み込まれており、この挟み込みによって、収容体３が保持されている。この状態から収容体３を取り外すには貼り合わされた一対の保護板４を開けばよく、図示した端縁から開くことによって保護板４同士が容易に離れ、収容体３を簡単に取り外すことができる。上述したように、上記粘着剤７それ自体は強力な粘着力を有していないため、収容体３の取り外しの際にその袋物が損傷することはない。また、再び前記収容体３を元の位置に配置して保護板４を折り合わせれば対向面部４ａ同士が貼り合わされ、収容体３の周辺が挟持されるようになる。
【０００９】
図５は上記保護体１を折丁や枚葉からなる頁部９とともに一体にして綴じ合わせた書籍１０を示している。この例にあっては保護板４の捲り端となる端縁４ｂをノド１０ａ側に位置させており、書籍を取り扱う際に不用意に保護板４が捲れないようにしている。また、保護板４それぞれが波形紙６を有しているため、緩衝剤の役割を果たすようになり、収容体３側への外力が加わるような場合でもそれを和げるようにしている。
【００１０】
【発明の効果】
以上説明したように、本発明の電子記録媒体の保護体によれば、それぞれ対向面部に波形紙を配してその波形紙に弱接着力の粘着剤が塗布されて互いが再接着再剥離可能に貼り合わされる一対の保護板の間に、コンパクトディスクなどの電子記録媒体を収めてなる薄形の収容体を配置し、貼り合わされた前記一対の保護板が前記収容体を挟持することを特徴とするものである。これによって、貼り合わされている保護板を開くという簡単な操作で、その保護板及び収容体側に損傷を生じさせることなく収容体を取り外すことができるようになる。また、保護板の間に収容体を配置させその収容体を貼り合わせるだけで収容体が保持されるようになり、従来の粘着テープを用いた取付作業に比べて手間のかからない作業となる。
また、もう一つの発明である書籍にあっては、上記保護体が折丁や枚葉などからなる頁部と一体に綴じ合わされているものであり、これによって収容体を適正に保持しながら必要時には容易にその収容体を取り外すことができる書籍となるとともに、保護体が波形紙を有して緩衝作用を備えて外部から力が加わっても収容体、即ち電子記録媒体を保護することができるようになるなど、実用性に優れた効果を奏するものである。
【図面の簡単な説明】
【図１】本発明に係る電子記録媒体の保持体の一実施例を示す説明図である。
【図２】図１におけるＡ−Ａ線部の断面を示す説明図である。
【図３】図１におけるＢ−Ｂ線部の断面を示す説明図である。
【図４】一実施例の保護体を開いた状態を示す説明図である。
【図５】保護体を綴じ込んだ書籍の一例を示す説明図である。
【符号の説明】
１…保護体
２…電子記録媒体
３…収容体
４…保護板
４ａ…対向面部
６…波形紙
７…粘着剤
８…開口部
９…頁部
１０…書籍
【図１】
0003582799.tif 000002
【図２】
0003582799.tif 000003
【図３】
0003582799.tif 000004
【図４】
0003582799.tif 000005
【図５】
0003582799.tif 000006